(57)【要約】【目的】各種観測衛星からの画像データを加工・編集してＧＩＳ（Ｇｅｏｇｒａｐｈｉｃａｌ  Ｉｎｆｏｒｍａｔｉｏｎ  Ｓｙｓｔｅｍ）画面として配信し、顧客に多元漁業情報の提供を目的とする。【構成】衛星受信装置からのデータを格納するデータフレームと、過去の漁業情報を蓄積したデータベースのデータを加工・処理してＧＩＳ画面として配信し、顧客側では受信した各種ＧＩＳ画面を、ＧＰＳで得た自己位置データを参照して再編集して希望する漁業情報として取得する。【選択図】        図２
2004248642.tif 000002
【特許請求の範囲】
【請求項１】
漁業情報を顧客に通信インフラを使用して配信する多元漁業情報配信システムにおいて、配信する漁業情報として、各種観測衛星からの画像データと、漁業情報データとによって得られる水温分布、水色分布、海面高度、気象、現況漁場、予測漁場、船舶測定水温分布の各データを加工・編集したそれぞれのＧＩＳ（Ｇｅｏｇｒａｐｈｉｃａｌ  Ｉｎｆｏｒｍａｔｉｏｎ  Ｓｙｓｔｅｍ）画面データを配信するようにしたことを特徴とする多元漁業情報受信配信システム
【請求項２】
請求項１に記載の多元漁業情報受信配信システムにおいて、顧客が使用する多元漁業情報受信表示装置は以下の機能を有することを特徴とする。
１）ＧＰＳ（Ｇｌｏｂａｌ  ｐｏｓｉｔｉｏｎｉｎｇ  Ｓｙｓｔｅｍ）で得られた自船位置を、表示画面に描出した海図上に逐次航跡として表示し、ＧＰＳ画面とする航跡表示機能
２）前記ＧＰＳ画面と受信した複数種のＧＩＳ画面とを切替え表示する機能
３）複数種のＧＩＳ画面の分割表示と、特定した１種の全画面を切替え表示するる機能
４）ＧＩＳ画面に対する加工処理（拡大、縮小、移動、自船位置中心表示等）する機能
５）ＧＩＳ画面データと、ＧＰＳ画面データを重畳表示する機能
６）他種のＧＩＳ画面データを重畳表示する機能
【発明の詳細な説明】
【０００１】
【産業上の利用分野】
この発明は、人工衛星から得られる海象、気象等の画像データを受信・加工・編集し、漁業情報として、衛星通信回線を介して顧客に配信する多元漁業情報受信配信システムと、その表示装置に関するものである。
【０００２】
【従来の技術】
従来から漁船においては、地表観測衛星等のデータを直接受信して得られる水温データから海流の流速、流向、潮目等を判断し、漁業情報として個別に利用していた。また、海況情報は気象情報等とともに短波帯の電波を使用した模写伝送受信装置で取得している。
【０００３】
【発明が解決しようとする課題】
したがって、漁船上において、海況、気象データを取得するにはそれぞれ単独に高価な受信装置を装備する必要があり、また、漁場予測に結びつけるための画像解析は煩雑であり高度の熟練が要求されている。
本発明は、このような問題を解決するために為されたものであって、漁業情報の要求者である漁船側に安価で操作容易な受信表示装置を設置するだけで済む多元漁業情報受信配信システムの提供を目的とする。
【０００４】
【課題を解決するための手段】
本発明においては、従来の高価でかつ煩雑であった画像解析を高機能の計算機を装備したデータ配信装置に任せ、複数のＧＩＳ画像データとして衛星回線を介して顧客である漁船に配信する。
データを受信した漁船側では、受信した各種ＧＩＳ画像データを多元漁業情報受信表示装置上に表示する。多元漁業情報受信表示装置には、ＧＰＳを利用し、受信した各種ＧＩＳ画像データに航跡記録を重畳して表示する。
【０００５】
【作用】
配信装置では各種の衛星画像データを一括して加工・処理して複数のＧＩＳ画面に編集でき、受信側である多元漁業情報受信表示装置では、航跡記録機能と相俟って自船中心の漁場情報を容易に取得することが可能になる。
【０００６】
【実施例】
以下、本発明による多元漁業情報受信配信システムの１実施例について、図面を参照して説明する。
図１は、本発明の多元漁業情報受信配信システムの概要を示す図である。
１は衛星受信装置、２は船舶／陸上気象観測機器、３はデータ配信装置、４は通信インフラ、５は多元漁業情報受信表示装置である。
衛星受信装置１、及び船舶／陸上気象観測機器２はシステム外部に設置され、衛星受信装置１ではＮＯＡＡ、ＡＤＥＯＳ、ひまわり、ＥＲＳ−ＩＩ等からの画像データを、船舶／陸上気象観測機器２からは短波放送等で伝送される気象データをデータ配信装置３にオンライン、またはオフラインで移送する。
【０００７】
データ配信装置３は以下の装置で構成される。３１はデータフレーム、３２はデータベース、３３はＰＣ（Ｐｅｒｓｏｎａｌ  Ｃｏｍｐｕｔｅｒ）、３４は配信サーバである。
衛星受信装置１、及び船舶／陸上気象観測機器２からの各種データは、それぞれに対応するデータフレーム３１に一時格納される。また、データベース３２には過去から継続して取得した種々の漁業情報が格納されている。
ＰＣ３３はデータフレーム３１とデータベース３２のデータを読出し、配信コンテンツとして水温分布、水色分布、海面高度、気象、現況漁場、予測漁場、船舶測定水温分布を所定海域のＧＩＳ画面を各種作成する。  配信サーバ３４は送信プロトコルに従ってデータを処理し、データを通信インフラ４に送出する。
【０００８】
通信インフラ４は通信端末４１で構成される。本実施例ではＮ−Ｓｔａｒ経由の衛星パケット通信を使用したが、インターネット経由等の使用も可能である。
【０００９】
多元漁業情報受信表示装置５は、上記データの配信を希望する漁船に搭載される装置であって、以下の装置で構成される。
５１は通信端末、５２はＧＰＳ受信機、５３はデータ処理器、５４は表示器である。
データ処理器５３が起動されると、通信端末５１は自動的に配信サーバ３４をアクセスし、データ取得状態に設定される。
ＧＰＳ受信機５２は自船位置、船速、針路等のデータをデータ処理器５３に送出する。
データ処理器５３は希望するＧＩＳ画面データと、ＧＰＳデータを読み込み、加工・処理して以下の図に示すような画面を表示器５４上に描出する。
【００１０】
図２はＧＰＳ受信機５２で得られた自船位置を、表示器５４に描出した海図上に自船位置を表示するＧＰＳ画面と、複数のＧＩＳ画面を切替え表示する場合の１例を示す図であって、画面１はＧＰＳ画面、画面２は水温、水色、海面高度、気圧の分布を表示する４分割ＧＩＳ画面、画面３は船舶水温、波浪、台風、漁場情報を表示する４分割ＧＩＳ画面である。これら３画面はデータ処理器５３に設けた操作ボタンによって切替えられる。
【００１１】
図３は４種のＧＩＳ画面の４分割表示と、その１画面を全画面切替え表示する場合の１例であって、画面４は４種のＧＩＳ画面の分割表示画面、画面５は前記４種中の１画面を選択した全画面表示である。これら画面の選択はデータ処理器５３に設けた操作ボタンによって行われる。
【００１２】
図４はＧＰＳ画面および各種ＧＩＳ画面の拡大、縮小、移動、自船位置中心表示等の画面表示の１例を示す図であって、画面５から画面９までデータ処理器５３に設けた操作ボタン、またはトラックボールによって任意に選択・操作することができる。
【００１３】
図５はＧＩＳ画面にＧＰＳ画面データを重畳表示した場合の１例を示す図であって、画面１０は画面２、あるいは画面３に画面１のデータである自船位置、および航跡を重畳表示したものである。
【００１４】
図６は他種のＧＩＳ画面データを重畳表示した場合の１例を示す図であって、画面２で分割表示している水温分布データと水色分布データとを重畳して全画面に画面１１として表示したものである。
【００１５】
【発明の効果】
本発明の多元漁業情報配信システムによれば、各種観測衛星からのデータを配信サーバにアクセスすることによって任意に取得でき、顧客側では取得したデータを加工・処理することによって、漁場の絞込みが可能になる。
また、気象情報を取得することにより、航海の効率化・魚価管理が可能となる。
【図面の簡単な説明】
【図１】本発明の多元漁業情報配信システムの概要を示す図である。
【図２】複数のＧＩＳ画面を切替え表示する場合の１例を示す図である。
【図３】４種のＧＩＳ画面の４分割表示と、その１画面を全画面切替え表示する場合の１例である。
【図４】ＧＰＳ画面および各種ＧＩＳ画面の拡大、縮小、移動、自船位置中心表示等の画面表示の１例を示す図である。
【図５】ＧＩＳ画面にＧＰＳ画面データを重畳表示した場合の１例を示す図である。
【図６】他種のＧＩＳ画面データを重畳表示した場合の１例を示す図である。
【符号の説明】
１；衛星受信装置
２；船舶／陸上気象観測機器
３；データ配信装置
３１；データフレーム                              ３２；データベース
３３；ＰＣ（Ｐｅｒｓｏｎａｌ  Ｃｏｍｐｕｔｅｒ）  ３４；配信サーバ
４；通信インフラ
４１；通信端末
５；多元漁業情報受信表示装置
５１；通信端末                  ５２；ＧＰＳ受信機
５３；データ処理器              ５４；表示器
画面１；ＧＰＳ画面
画面２；水温・水色・海面高度・気圧分割表示画面
画面３；船舶水温・波浪・台風・漁業情報分割表示画面
画面４；４分割画面
画面５；全画面表示画面
画面６〜画面９；拡大・縮小・移動・自船位置中心表示画面
画面１０；ＧＩＳ画面ＧＰＳデータ重畳表示画面
画面１１；異種画面データ重畳表示画面
【図１】
2004248642.tif 000003
【図２】
2004248642.tif 000004
【図３】
2004248642.tif 000005
【図４】
2004248642.tif 000006
【図５】
2004248642.tif 000007
【図６】
2004248642.tif 000008